(57)【特許請求の範囲】
【請求項１】
光ディスクから光情報を読み取るための光ピックアップ装置における対物レンズの前記光ディスク側でありかつ読取ブロックに取り付けられ、前記光情報の読み取りを行わない場合に位置付けられる前記対物レンズの受光面を覆う第１の位置と、前記光情報の読み取りを行う場合に位置付けられる前記対物レンズの受光面を露出させる第２の位置との間を一方向またはこれと逆方向の回転により移動させられるシャッタであって、
前記シャッタが前記第２の位置から前記第１の位置へ移動するときの先端縁の裏面部には、前記先端縁側に向かう程に肉薄となるように傾斜面が形成されており、
読取ブロックにおける対物レンズの周囲には、レンズ面を除く部分を覆うと共に、円弧状の周縁部を有する摺動板が設けられた覆板が設けられており、
前記シャッタにおける回転にて円弧状に移動する先端部には前記摺動板の周縁部に沿って摺動する爪部が設けられていることを特徴とする光ピックアップ装置のシャッタ。
【請求項２】
傾斜面は平面であることを特徴とする請求項１に記載の光ピックアップ装置のシャッタ。
【請求項３】
傾斜面は曲面であることを特徴とする請求項１に記載の光ピックアップ装置のシャッタ。
【請求項４】
光ディスクから光情報を読み取るための光ピックアップ装置において、
前記光ディスクにおける面のラジアル方向に移動可能であり、かつ前記面と直交する方向に移動可能に弾性保持されている読取ブロックと、
対物レンズの前記光ディスク側でありかつ読取ブロックに取り付けられ、前記光情報の読み取りを行わない場合に位置付けられる前記対物レンズの受光面を覆う第１の位置と、前記光情報の読み取りを行う場合に位置付けられる前記対物レンズの受光面を露出させる第２の位置との間を一方向またはこれと逆方向の回転により移動させられるシャッタとを具備し、
前記シャッタが前記第２の位置から前記第１の位置へ移動するときの先端縁の裏面部には、前記先端縁側に向かう程に肉薄となるように傾斜面が形成されており、
読取ブロックにおける対物レンズの周囲には、レンズ面を除く部分を覆うと共に、円弧状の周縁部を有する摺動板が設けられた覆板が設けられており、
前記シャッタにおける回転にて円弧状に移動する先端部には前記摺動板の周縁部に沿って摺動する爪部が設けられており、
前記対物レンズのレンズホルダは、前記対物レンズの表面に前記シャッタの傾斜面が当接すると、前記シャッタの傾斜面から遠ざかる方向へ移動するように前記読取ブロックに保持されていることを特徴とする光ピックアップ装置。
【請求項５】
傾斜面は平面であることを特徴とする請求項１に記載の光ピックアップ装置。
【請求項６】
傾斜面は曲面であることを特徴とする請求項１に記載の光ピックアップ装置。
【発明の詳細な説明】
【０００１】
【発明の属する技術分野】
この発明は、ＣＤ、ＤＶＤ等の光ディスク再生装置または光ディスク記録再生装置に用いられる光ピックアップ装置及びそのシャッタに関するものである。
【０００２】
【従来の技術】
光ピックアップ装置における対物レンズに塵埃が付着すると透過率の低下等によって光情報の読み取りに障害が生じ、ノイズの発生等を招来し極めて好ましくない。そこで、従来の光ピックアップ装置においては、対物レンズの受光面に塵埃が付着するのを防止すべく、装置の非動作時に対物レンズと光ディスクの間の開口部を閉じるシャッタを設けている（例えば、特開平１０−１４３８９９号公報）。
【０００３】
しかしながら、従来の光ピックアップ装置では、図７及び図８に要部が示されるように、シャッタ板９１の先端面９２と上面９３及び下面９４とはそれぞれ直交しているために、シャッタ９１の先端角部が対物レンズ８１の表面に突き当たり、シャッタ９１が閉じない障害が発生することがあった。この場合、対物レンズ８１の表面に傷が付く可能性があった。
【０００４】
【発明が解決しようとする課題】
本発明は上記のような従来の光ピックアップ装置における問題点を解決せんとしてなされたもので、その目的は対物レンズの受光面に塵埃が付着するのを防止するシャッタが閉じない障害を回避することの可能な光ピックアップ装置におけるシャッタを提供することである。また、他の目的は、シャッタの移動によって対物レンズに傷が付き難い光ピックアップ装置を提供することである。
【０００５】
【課題を解決するための手段】
本発明に係る光ピックアップ装置のシャッタは、光ディスクから光情報を読み取るための光ピックアップ装置における対物レンズの前記光ディスク側でありかつ読取ブロックに取り付けられ、前記光情報の読み取りを行わない場合に位置付けられる前記対物レンズの受光面を覆う第１の位置と、前記光情報の読み取りを行う場合に位置付けられる前記対物レンズの受光面を露出させる第２の位置との間を一方向またはこれと逆方向の回転により移動させられるシャッタであって、前記シャッタが前記第２の位置から前記第１の位置へ移動するときの先端縁の裏面部には、前記先端縁側に向かう程に肉薄となるように傾斜面が形成されており、読取ブロックにおける対物レンズの周囲には、レンズ面を除く部分を覆うと共に、円弧状の周縁部を有する摺動板が設けられた覆板が設けられており、前記シャッタにおける回転にて円弧状に移動する先端部には前記摺動板の周縁部に沿って摺動する爪部が設けられていることを特徴とする。上記の傾斜面を平面により構成することができる。上記の傾斜面を曲面により構成することができる。
【０００６】
本発明に係る光ピックアップ装置は、光ディスクから光情報を読み取るための光ピックアップ装置において、前記光ディスクにおける面のラジアル方向に移動可能であり、かつ前記面と直交する方向に移動可能に弾性保持されている読取ブロックと、対物レンズの前記光ディスク側でありかつ読取ブロックに取り付けられ、前記光情報の読み取りを行わない場合に位置付けられる前記対物レンズの受光面を覆う第１の位置と、前記光情報の読み取りを行う場合に位置付けられる前記対物レンズの受光面を露出させる第２の位置との間を一方向またはこれと逆方向の回転により移動させられるシャッタとを具備し、前記シャッタが前記第２の位置から前記第１の位置へ移動するときの先端縁の裏面部には、前記先端縁側に向かう程に肉薄となるように傾斜面が形成されており、読取ブロックにおける対物レンズの周囲には、レンズ面を除く部分を覆うと共に、円弧状の周縁部を有する摺動板が設けられた覆板が設けられており、前記シャッタにおける回転にて円弧状に移動する先端部には前記摺動板の周縁部に沿って摺動する爪部が設けられており、前記対物レンズのレンズホルダは、前記対物レンズの表面に前記シャッタの傾斜面が当接すると、前記シャッタの傾斜面から遠ざかる方向へ移動するように前記読取ブロックに保持されていることを特徴とする。上記の傾斜面を平面により構成することができる。上記の傾斜面を曲面により構成することができる。
【０００７】
【発明の実施の形態】
以下添付図面を参照して、本発明に係る光ピックアップ装置のシャッタの実施例、及び光ピックアップ装置の実施例を説明する。各図において同一の構成要素には同一の符号を付し重複する説明を省略する。光ピックアップ装置は、図１に斜視図を示し、図２に平面図を示すように構成されている。ベース板１の手前側表面には、ギアユニット２が設けられ、モータ４０の回転をラックギア１４へ伝えるように構成されている。
【０００８】
ギアユニット２の回転がラックギア１４に伝えられることにより、ラックギア１４が側部に設けられた読取ブロック１１がガイドロッド５を摺動するように図の左右方向に移動される。ベース板１における読取ブロック１１が移動する範囲には、ほぼ四角形の穴１Ａが形成され、読取ブロック１１は、この穴１Ａ上に保持されている。読取ブロック１１が図の最も左側に移動した位置の近傍には、光ディスクがセットされてモータ５０により回転されるディスクテーブル３が設けられている。
【０００９】
上記ディスクテーブル３の側部から読取ブロック１１の移動範囲を覆うようにカバー４が設けられ、このカバー４の一部には長孔４ａが穿設されている。この長孔４ａは、読取ブロック１１に設けられた対物レンズ１５がディスクテーブル３にセットされた光ディスクの面を覗き込むように形成されたものである。読取ブロック１１が図の左右方向（光ディスクにおける面のラジアル方向）に移動するとき、対物レンズ１５は上記長孔４ａに沿って移動し、読取ブロック１１における対物レンズ１５の下方に設けられる光学系（例えば、特開平１０−１４３８９９号の光学ブロック２６）により光ディスクから光情報を読み取ることができる。
【００１０】
読取ブロック１１における対物レンズ１５の周囲には、レンズ面に対応した穴部１２ａを有し、レンズ面を除く部分を覆う覆板１２が設けられている。覆板１２の上側には概ね三日月形のシャッタ（板）３０が設けられている。シャッタ３０の上端部３０ａの裏面には軸が設けられ、この軸を中心としてシャッタ３０が回動自在に読取ブロック１１に取り付けられている。
【００１１】
シャッタ３０の上端部３０ａにはディスクテーブル３側へ突出したバネ取付部３０ｃが形成され、バネ２１の一端が取り付けられている。バネ２１の他端は、覆板１２のディスクテーブル３側へ突出したバネ取付部１２ｃに取り付けられている。このバネ２１は、シャッタ３０の上端部３０ａを引き付ける方向に付勢している。
【００１２】
シャッタ３０の下端突部には図の下方へ突出した爪部３０ｄが形成されている。また、覆板１２におけるラックギア１４側から半時計回りに略９０度旋回する位置までには、円弧状の周縁部を有する摺動板１２ｄが設けられている。上記爪部３０ｄは、摺動板１２ｄの周縁部に沿って摺動するように構成されている。
【００１３】
シャッタ３０の上端部３０ａには図の下方へ延びる断面が円形の突片３０ｂが設けられている。一方、ベース板１の穴１Ａには、読取ブロック１１が図において最も左側に位置付けられたときにおける上記読取ブロック１１の突片３０ｂに対応する位置に、突起部１ｄが上記突片３０ｂ側に突出して形成されている。
【００１４】
以上の構成において、読取ブロック１１が図において最も左側に位置付けられたときには、突起部１ｄが読取ブロック１１の突片３０ｂを押し付け、シャッタ３０がバネ２１の付勢力に抗して時計回りに旋回した図３に示す状態となる。
【００１５】
次に、ディスクテーブル３に光ディスクをセットしデータのリードライトを行う場合には、モータ４０が回転されてギアユニット２の回転がラックギア１４に伝えられることにより、読取ブロック１１が図の右方向に移動する。すると、突起部１ｄが読取ブロック１１の突片３０ｂから離れてゆき、シャッタ３０がバネ２１の付勢力により半時計回りの回転を生じることにより図４に示されるような状態となる。
【００１６】
つまり、対物レンズ１５が現れ、ディスクテーブル３にセットされた光ディスクの面を覗き込むように対向配置された状態となり、読取ブロック１１の対物レンズ１５の下方に設けられる光学系により光ディスクから光情報を読み取ることができるようになる。これが、対物レンズ１５の受光面を露出させる第２の位置にシャッタ３０が移動した状態である。
【００１７】
光情報の読取が終り、読取ブロック１１を元の位置に戻すために、モータ４０が回転されてギアユニット２の回転がラックギア１４に伝えられることにより、読取ブロック１１が図の左方向に移動する。そして、突起部１ｄが読取ブロック１１の突片３０ｂに当接すると、シャッタ３０がバネ２１の付勢力に抗して時計回りに回転されるようになり、シャッタ３０が対物レンズ１５の面を通過するようになる。このときシャッタ３０が上記第２の位置から対物レンズ１５の受光面を覆う第１の位置へ移動する途中にある。本実施例においては、シャッタ３０が上記第２の位置から上記第１の位置へ移動するときの先端縁１０の裏面部には、先端縁側に向かう程に肉薄となるように傾斜面が形成されている。この傾斜面は、平面或いは曲面である。
【００１８】
そして、対物レンズ１５の表面にシャッタ３０の傾斜面が当接すると、対物レンズのレンズホルダは、シャッタ３０の傾斜面から遠ざかる方向へ移動する。もしくは、シャッタ３０が読取ブロック１１から遠ざかる方向へ移動する。つまり、レンズホルダは、読取ブロック１１に弾性保持されている。これにより、シャッタ３０が対物レンズ１５に突き当たって移動しなくなることなく、時計回りに回転されて対物レンズ１５の面を覆う第１の位置へ移動し、図４に示す状態となる。
【００１９】
図５、図６には第２の実施例に係るシャッタ部分の構成を示す。この実施例では、読取ブロック１１Ａの部分のみを示し、他の部分は図１〜図４に示した第１の実施例に等しい。読取ブロック１１Ａのケース上面は覆板１２に対応する板面となっており、ケース上面には対物レンズ１５を露出するための例えば円形の開口部６１が形成されている。
【００２０】
ケース上面には、開口部６１を覆う例えば平面形状が長方形のシャッタ３０Ａが設けられている。シャッタ３０Ａの裏面にはケース側に突出した棒片６２が設けられ、この棒片６２はケース上面の左右方向に形成された溝６３に嵌め込まれている。また、棒片６２はバネ６４により開口部６１を開く方向に付勢されている。
【００２１】
更に、読取ブロック１１Ａが図５の左右方向に移動して光ディスクからの光情報の読取を行うものとする。そして、読取ブロック１１Ａが図５の右方向に更に移動した位置が、第１の実施例における図３の位置に対応する。シャッタ３０Ａの表面には上側に突出した棒片６５が設けられ、この棒片６５がベース板１における読取ブロック１１Ａの移動範囲に形成された穴部の側壁（突起部１ｄに対応）に当接すると、シャッタ３０Ａがバネ６４の付勢力に抗して図の左方向に移動され開口部６１が閉じられてゆく。
【００２２】
本実施例においても、シャッタ３０Ａが、開口部６１の開かれる第２の位置から開口部６１の閉じられる第１の位置へ移動するときの先端縁７０の裏面部には、先端縁側に向かう程に肉薄となるように傾斜面７１が形成されている。
【００２３】
そして対物レンズ１５の表面にシャッタ３０Ａの傾斜面７１が当接すると、レンズホルダ７２はシャッタ３０Ａの傾斜面７１から遠ざかる方向へ移動する。これにより、シャッタ３０Ａが対物レンズ１５に突き当たって移動しなくなることなく、左側へ移動して対物レンズ１５の面を覆う第１の位置へ移動し、開口部６１が閉じられた状態となる。
【００２４】
上記の第２の実施例において図６に示されるように、シャッタ３０Ａの表面と傾斜面７１とのなす角度は、６０度以下が好ましい。この角度により、シャッタ３０Ａが対物レンズ１５に突き当たって移動しなくなることはない。また、この角度は第１の実施例において傾斜面を平面により構成した場合にも同様である。さらに、この第２の実施例において、傾斜面を平面により構成したが、この構成に代えて傾斜面を曲面により構成することもできる。
【００２５】
【発明の効果】
以上説明したように本発明によれば、シャッタが、光情報の読み取りを行う場合に位置付けられる対物レンズの受光面を露出させる第２の位置から、光情報の読み取りを行わない場合に位置付けられる対物レンズの受光面を覆う第１の位置へ移動するときのシャッタにおける先端縁の裏面部には、先端縁側に向かう程に肉薄となるように傾斜面が形成されているので、シャッタが対物レンズに突き当たって移動しなくなることなく移動して対物レンズの面を覆う第１の位置へ移動し対物レンズが覆われた状態となり、シャッタの適切な動作の確保と対物レンズ面の保護が図られる。
【図面の簡単な説明】
【図１】本発明の第１の実施例に係る光ピックアップ装置の斜視図。
【図２】本発明の第１の実施例に係る光ピックアップ装置の平面図。
【図３】本発明の第１の実施例に係る光ピックアップ装置におけるシャッタが閉じた状態を示す平面図。
【図４】本発明の第１の実施例に係る光ピックアップ装置におけるシャッタが開いた状態を示す平面図。
【図５】本発明の第２の実施例に係る光ピックアップ装置の読取ブロックにおけるシャッタが開いた状態を示す断面図。
【図６】本発明の第２の実施例に係る光ピックアップ装置の読取ブロックにおけるシャッタが開いた状態を示す要部断面図。
【図７】従来の光ピックアップ装置の読取ブロックにおけるシャッタの部分を示す断面図。
【図８】従来の光ピックアップ装置の読取ブロックにおけるシャッタの部分を示す要部断面図。
【符号の説明】
１  ベース板
１ｄ  突起部
１Ａ  穴
２  ギアユニット
３  ディスクテーブル
４  カバー
４ａ  長孔
１０  先端縁
１１、１１Ａ  読取ブロック
１２  覆板
１２ａ  穴部
１２ｃ  バネ取付部
１２ｄ  摺動部
１４  ラックギア
１５  対物レンズ
２１  バネ
３０、３０Ａ  シャッタ
３０ａ  上端部
３０ｂ  突片
３０ｃ  バネ取付部
３０ｄ  爪部
４０  モータ
５０  モータ
６１  開口部
６２、６５  棒片
６３  溝
６４  バネ
７０  先端縁
７１  傾斜面
７２  レンズホルダ
【図１】
0003835744.tif 000002
【図２】
0003835744.tif 000003
【図３】
0003835744.tif 000004
【図４】
0003835744.tif 000005
【図５】
0003835744.tif 000006
【図６】
0003835744.tif 000007
【図７】
0003835744.tif 000008
【図８】
0003835744.tif 000009